(57)【要約】【課題】  内燃機関の排気ガスが流通する流通管に対する内燃機関用取付部品の締め付け軸力を向上させられるとともに、ねじの緩みが生じ難い内燃機関用取付部品を提供する。【解決手段】  環状座面３９ｂに環状押圧部２１を着座させた状態で固定部材２５を取付けねじ部３７にねじ込み、固定部材２５の先端向き面２５ｂを環状押圧部２１の後端向き面２１ｃに押し付けることによって、環状押圧部２１を環状座面３９ｂに固定する温度センサ１（内燃機関用取付部品１）において、固定部材２５の先端向き面２５ｂ、及び、環状押圧部２１の後端向き面２１ｃの少なくとも一方に、ポリカルボシラン骨格が金属元素によって架橋結合された有機ケイ素ポリマーと、二硫化モリブデンや雲母等の固体潤滑剤とを含む乾性塗膜４１が形成されている。【選択図】  図２
2014231831.tif 000002
【特許請求の範囲】
【請求項１】
内燃機関から排出される排気ガスが流通する流通管に設けられた取付けねじ部に取り付けられる内燃機関用取付部品であって、
前記流通管の外壁に設けられた環状座面に、自身の先端向き面が着座される環状押圧部と、筒状に形成され、自身の外周面に前記取付けねじ部にねじ込み可能なねじ形成部位が形成された固定部材と、を備え、前記環状座面に前記環状押圧部を着座させた状態で前記固定部材を前記取付けねじ部にねじ込み、前記固定部材のうちで前記ねじ形成部位よりも先端側に位置する先端向き面を、前記環状押圧部の後端向き面に押し付けることによって、前記環状押圧部を前記環状座面に固定する内燃機関用取付部品において、
前記固定部材の前記先端向き面、及び、前記環状押圧部の前記後端向き面の少なくとも一方に、ポリカルボシラン骨格が金属元素によって架橋結合された有機ケイ素ポリマーと、固体潤滑剤とを含む乾性塗膜が形成されてなる
ことを特徴とする内燃機関用取付部品。
【請求項２】
前記固体潤滑剤は、二硫化モリブデン、雲母の少なくとも１種からなることを特徴とする請求項１に記載の内燃機関用取付部品。
【請求項３】
前記乾性塗膜は、前記固定部材の前記ねじ形成部位の表面にも形成されてなることを特徴とする請求項１または請求項２に記載の内燃機関用取付部品。
【請求項４】
請求項１〜３に記載の内燃機関用取付部品であって、
当該内燃機関用取付部品は、前記排気ガスの温度を検出する感温部を備え、前記感温部を前記流通管内に突出させるように当該流通管の前記取付けねじ部に取り付けられる温度センサであることを特徴とする内燃機関用取付部品。
【発明の詳細な説明】
【技術分野】
【０００１】
本発明は、内燃機関から排出される排気ガスが流通する流通管（排気管）に設けられた取付けねじ部に取り付けられる内燃機関用取付部品に関する。
【背景技術】
【０００２】
内燃機関から排出される排気ガスが流通する流通管に装着される内燃機関用取付部品としては、排気ガスの温度を検出するための温度センサ、排気ガス中の特定ガス成分の濃度を検出するためのガスセンサ、排気ガス中の粒子量を検出するための粒子センサ、排気ガスの圧力を検出するための圧力センサなどが知られている。その一例である温度センサとして、従来より、特許文献１の構成が知られている。温度センサは、サーミスタ素子やＰｔ抵抗体素子などの感温部を排気管内に配置させ、車両の排気管内の排気ガスの温度を検出するために、排気管に取り付けられるものである。
【０００３】
排気管の外壁には、環状座面、及び、取付けねじ部が形成されたボスが設けられている。一方、温度センサには、環状座面に着座される環状押圧部と、筒状に形成され、自身の外周面に取付けねじ部にねじ込み可能なねじ形成部位が形成された固定部材（ナット）とが設けられている。そして、ボスの環状座面に環状押圧部を着座させた状態で、固定部材に形成されたねじ形成部位をボスの取付けねじ部にねじ込みつつ（締め込みつつ）、固定部材の先端向き面を環状押圧部の後端向き面に押し付けることにより、環状押圧部を環状座面に固定して温度センサをボス（排気管）に取り付ける。
【０００４】
このようにして温度センサは、固定部材の取付け部材へのねじ込みによる締め付け軸力によって排気管に取り付けられる訳だが、取付け後において排気ガスの熱による高温に晒される。排気ガスの熱で高温に晒される場合、温度センサが取り付けられている排気管のボスの部位、すなわち、取付けねじ部及び環状座面、さらにはこれに押し付けられている環状押圧部及び固定部材を含む温度センサの部分は、例えば、２００〜５００℃、場合によっては５００℃以上といった高温になる。したがって、温度センサを構成する環状押圧部及び固定部材、さらに取付けねじ部を構成するボスのうち、その１つでも他より熱膨張係数が大きく相違する素材から形成されている場合には、その熱膨張係数の相違に基づき、環状押圧部がボスの環状座面から浮き、ねじ込み状態に緩みが生じる可能性がある。そこで、特許文献１では、環状座面を形成するボス、温度センサを構成する環状押圧部、固定部材の熱変形量が略同一となるようにして、ネジの緩みを防止するようにしている。
【０００５】
【特許文献１】特開２００２−１２２４８６号公報
【発明の開示】
【発明が解決しようとする課題】
【０００６】
しかし、特許文献１の技術では、温度センサを構成する環状押圧部、固定部材のみでなく、取付けねじ部及び環状座面を有するボスについても略同一の熱変形量を有する素材（例えば、同一素材）で形成する必要があるなどの制約がある。したがって、温度センサを排気管（ボス）に取り付けるにあたり、具体化できる範囲が極めて狭いといった欠点がある。一方で、各材質の制約を外すと、温度センサの排気管への取付けの自由度ないし適用範囲は拡がるものの、上記したねじの緩み性の問題を考慮する必要がある。
【０００７】
そこで、温度センサの排気管等の流通管への取付け自由度ないし適用範囲を広げるためには、流通管に対する固定部材のねじ込みによる締め付け軸力自体を向上させて、温度センサが高温に晒された場合にも環状押圧部がボスの環状座面から浮きにくくしてねじの緩みを防止することが考えられる。しかし、高い締め付け軸力を得るべく固定部材のねじ込みトルク（締め付けトルク）を単に高めようにも、固定部材と環状押圧部との接触面（摩擦面）による摩擦係数が大きいためる限界がある。また、過剰な締め付けトルクを固定部材に付与した場合には、固定部材あるいは取付けねじ部が破損してしまうおそれがあり、温度センサの締め付け軸力を向上させることは容易ではない。
なお、このような問題点は、温度センサを例にとって説明したが、排気管のボスの環状座面に環状押圧部を着座させた状態で、固定部材に形成されたねじ形成部位をボスの取付けねじ部にねじ込みつつ、固定部材の先端向き面を環状押圧部の後端向き面に押し付ける形態の内燃機関用取付部品に関して、共通して生ずるものとである。
【０００８】
本発明は、上記の実情に鑑みてなされたものであって、流通管に対する内燃機関用取付部品の締め付け軸力を向上させられるとともに、ねじの緩みが生じ難い内燃機関用取付部品を提供することを目的とする。
【課題を解決するための手段】
【０００９】
（１）かかる課題をかかるためになされた本発明は、第１態様は、内燃機関から排出される排気ガスが流通する流通管に設けられた取付けねじ部に取り付けられる内燃機関用取付部品であって、前記流通管の外壁に設けられた環状座面に、自身の先端向き面が着座される環状押圧部と、筒状に形成され、自身の外周面に前記取付けねじ部にねじ込み可能なねじ形成部位が形成された固定部材と、を備え、前記環状座面に前記環状押圧部を着座させた状態で前記固定部材を前記取付けねじ部にねじ込み、前記固定部材のうちで前記ねじ形成部位よりも先端側に位置する先端向き面を前記環状押圧部の後端向き面に押し付けることによって、前記環状押圧部を前記環状座面に固定する温度センサにおいて、前記固定部材の前記先端向き面、及び、前記環状押圧部の前記後端向き面の少なくとも一方に、ポリカルボシラン骨格が金属元素によって架橋結合された有機ケイ素ポリマーと、固体潤滑剤とを含む乾性塗膜が形成されてなることを特徴とする。
【００１０】
（２）本発明では、第２態様として、請求項１に記載の内燃機関用取付部品であって、前記固体潤滑剤は、二硫化モリブデン、雲母の少なくとも１種からなることを特徴とする。
【００１１】
（３）本発明では、第３態様として、請求項１または請求項２に記載の内燃機関用取付部品であって、前記乾性塗膜は、前記固定部材の前記ねじ形成部位の表面にも形成されてなることを特徴とする。
【００１２】
（４）本発明では、第４態様として、請求項１〜３に記載の内燃機関用取付部品であって、当該内燃機関用取付部品は、前記排気ガスの温度を検出する感温部を備え、前記感温部を前記流通管内に突出させるように当該流通管の前記取付けねじ部に取り付けられる温度センサであることを特徴とする。
【発明の効果】
【００１３】
第１態様の内燃機関用取付部品によれば、固定部材のうちでねじ形成部位よりも先端側の先端向き面、及び、環状押圧部の後端向き面の少なくとも一方に、固体潤滑剤を含む乾性塗膜が形成されてなる。この乾性塗膜の形成により、両摩擦面が押し付けられたときにも、潤滑油等の液体状潤滑剤のように外部に漏れ出して潤滑剤切れ（油切れ）が生じ、摩擦面材料同士の直の接触が発生するのを抑制することができる。さらに、乾性塗膜に含まれる固体潤滑剤による滑り性によって、固定部材及び環状押圧部の摩擦面材料間の摩擦係数を良好に低下させられる。これにより、固定部材を所定の締め付けトルクで取付けねじ部にねじ込んだ（締め付けた）場合にも、固定部材の先端向き面と環状押圧部の後端向き面との間の押し付け（換言すれば、相対運動）によって生ずる摩擦面材料間の摩擦係数の低下により、固定部材の取付けねじ部に対するねじ込み（締め込み）が効果的に進み、内燃機関用取付部品の締め付け軸力を従来に比して効果的に向上させられる。
【００１４】
また、乾性塗膜を構成する有機ケイ素ポリマーは、例えば５００〜８００℃の高温下において、十分な耐熱性を有している。即ち、熱によって、ポリマー自身が分解して揮発／蒸発しにくく、加熱減量を起こしにくい特性を有している。よって、例えば５００℃以上の高温環境下においても、乾性塗膜自身が熱的に安定で、高温環境下での長期間の使用によって乾性塗膜が変質し、内燃機関用取付部品の実環境下での使用過程でねじの緩みを誘発することを抑制することができる。
【００１５】
固体潤滑剤としては、二硫化モリブデン、グラファイト、雲母、窒化ホウ素等を挙げることができるが、好適な固体潤滑剤としては、第２態様に示すように、二硫化モリブデン、雲母の少なくとも１種からなると良い。これらの固体潤滑剤は、耐熱性に優れる。また、二流化モリブデン、及び、雲母は、層状の結晶構造を有するため、固体部材の先端向き面と環状押圧部の後端向き面とが押し付けられた状態でねじ込みに伴って回動（相対運動）するときに、層状結晶間（各層間）沿って滑りが生じ易く、固体潤滑剤（乾性塗膜）による低摩擦特性をより効果的に発揮させられる。これにより、内燃機関用取付部品の締め付け軸力をより向上させることが可能になる。
【００１６】
第３態様の内燃機関用取付部品によれば、乾性塗膜は、固定部材のねじ形成部位の表面にも形成されている。これにより、取付けねじ部及び固定部材のねじ形成部位の摩擦面材料間の摩擦係数についても小さくすることができ、固定部材の取付けねじ部に対するねじ込み（締め込み）がより効果的に進み、内燃機関用取付部品の締め付け軸力をより効果的に向上させられる。
【００１７】
ここで、内燃機関から排出される排気ガスが流通する流通管内の環境は、近年、高温化してきており、内燃機関用取付部品を流通管に取り付けた場合、環状部材や取付けねじ部は５００℃以上の高温に晒されることがある。このような内燃機関用取付部品としては、感温部を有する温度センサが挙げられる。したがって、かかる温度センサのうち、上記した乾性塗膜が形成されていれば、高温環境下での長期間の使用によって乾性塗膜が変質し、温度センサの実環境下での使用過程でねじの緩みを誘発することを抑制することができる。
【図面の簡単な説明】
【００１８】
【図１】本実施の形態の内燃機関用取付部品（温度センサ）を軸方向に沿って破断して示す断面図である。
【図２】本実施の形態の内燃機関用取付部品（温度センサ）を排気ガスが流通する流通管に取り付けた状態を、その要部を破断して示す断面図である。
【発明を実施するための形態】
【００１９】
以下、本実施の形態の内燃機関用取付部品の構成について説明する。
本実施の形態の内燃機関用取付部品１は、自動車などの内燃機関の排気管に取り付けられて、排気管を流れる排気ガスの温度を検出する温度センサ１（以下、内燃機関用取付部品１を温度センサ１という。）である。
【００２０】
なお、本実施の形態においては示さないが、内燃機関用取付部品１は、排気ガス中の特定ガス成分の濃度を検出するガスセンサ（より具体的には、酸素濃度を検出するための酸素センサ、ＮＯｘ濃度を検出するためのＮＯｘセンサ）や、排気ガス中の粒子（ＰＭ）量を検出するための粒子センサ、排気ガスの圧力を検出するための圧力センサ、排気ガスの流量を検出するための流量センサ、排気管に設定された触媒を加熱するためのヒータなどであってもよい。
【００２１】
図１に示すように、本実施の形態の温度センサ１は、ハウジング３と、ハウジング３内に収納され、温度により変化する電気的特性を電気信号として出力可能な感温部としてのサーミスタ素子５と、サーミスタ素子５からの電気信号をハウジング３外に取り出すための一対のリード線７等を備えている。
【００２２】
より詳細には、ハウジング３は、先端側（同図下方）の第１ハウジング９と中間部１１と後端側（同図上方）の第２ハウジング１３とから構成されている。第１ハウジング９は、先端側が閉じられた有底筒状をなし、その先端寄り内側には温度により変化する電気的特性を電気信号として一対の電極１５に出力するサーミスタ素子５が配置されている。一対の電極１５は、一対の芯線１７の一端１７ａに接続されている。一対の芯線１７は、シース部材１９により被覆（絶縁保持）され、シース部材１９の後端側は第１ハウジング９から突出している。なお、シース部材１９は、筒状の金属製の外筒１２１内に一対の芯線１７を絶縁保持した構成をなしている。
【００２３】
第２ハウジング１３は、第１ハウジング９より大径の円筒状をなしている。そして、第２ハウジング１３の先端側と第１ハウジング９の後端側とが重ね合わされて同軸に配置され、環状押圧部２１の後端にて結合されている。
【００２４】
中間部１１は、排気ガスの漏れを防止するための部材に該当する環状押圧部２１であって、後述するボス２７の環状座面３９ｂに固定されることになる環状押圧部２１と、温度センサ１を排気管２３にねじ込んで固定する筒状をなす固定部材２５とからなる（図２も参照）。なお、この固定部材２５は、締め付けナットに該当するものである。
【００２５】
環状押圧部２１は、第１ハウジング９の後端側外周に対して溶接固定され、環状押圧部２１の後端側に位置する筒部外周に第２ハウジング１３の先端側が溶接固定されている。なお、環状押圧部２１は、径方向に突出する突出部２１ａを有しており、突出部２１ａの先端にはテーパ面２１ｂが形成され、突出部２１ａの後端には略平坦な後端向き面２１ｃが形成されている。
【００２６】
一方、固定部材２５は、環状押圧部２１の第２ハウジング１３側の外周に、回動可能に配置されている。この固定部材２５は、ボス２７の取付けねじ部３７にねじ込むための部材であり、軸中心に中心孔２５ａを有すると共に、外周面に雄ねじ２９ａが形成されたねじ形成部位２９と、ねじ形成部位２９の後端側に形成された六角ナット部３１とを有している。また、固定部材２５の先端には略平坦な先端向き面２５ｂが形成され、温度センサ１の取付け後において、この先端向き面２５ｂは、環状押圧部２１の後端向き面２１ｃを押し付けることになる。なお、本実施の形態の温度センサ１では、後述するように、固定部材２５の先端向き面２５ｂ上に、ポリカルボシラン骨格が金属元素によって架橋結合された有機ケイ素ポリマーと、固体潤滑剤とを含む乾性塗膜４１が形成されている。
【００２７】
第１ハウジング９の後端側から突出した一対の芯線１７の他端１７ｂは、第２ハウジング１３内において、一対のリード線７の一端７ａとかしめ端子３３によりかしめられている。また、芯線１７の他端１７ｂとリード線７の一端７ａの周囲には、かしめ端子３３をも取り囲むようにして絶縁チューブ３５が被せられている。
【００２８】
さらに、第２ハウジング１３の後端寄り内側には、耐熱ゴム製のシール部材３１がかしめ固定され、第２ハウジング１３内の水密が図れられている。一対のリード線７はシール部材３１を貫通して、第２ハウジング１３の後端より突出し、図示しない外部回路接続用のコネクタに接続されている。
【００２９】
次に、温度センサ１を排気管２３に取り付けた構造について説明する。
図２に温度センサ１の取付構造を示すが、本実施の形態では、温度センサ１は車両の排気管２３の軸方向に対して垂直に取り付けられ、排気ガスの温度を広範囲にわたって検出するために用いられる。
【００３０】
この温度センサ１の取付構造では、排気管２３に開けられた貫通孔２３ａとボス２７の中心孔２７ａとが連通するように、排気管２３にボス２７が溶接により接合されている。そして、温度センサ１は、排気管２３の貫通孔２３ａから、第１ハウジング９の先端側が排気管２３の内部に突き出すように、即ち、温度センサ１のサーミスタ素子５が排気管２３の内部に配置されるように、排気管２３（ボス２７）に取り付けられる。
【００３１】
ボス２７は、固定部材２５がねじ込まれる部材に該当し、中心孔２７ａの内周面に雌ねじ３７ａが形成された取付けねじ部３７と、取付けねじ部３７よりも排気管２３側に位置する接続部３９とを備えている。この接続部３９には、取付けねじ部３７の最小径よりも小径の挿通孔３９ａが形成されており、挿通孔３９ａの内壁には、環状をなすと共にテーパ面から構成される環状座面３９ｂが形成されている。
【００３２】
なお、環状部材２１は、例えばＳＵＳ３１０Ｓ、ＳＵＳ４３０からなり、固定部材２５は、例えばＳＵＳ４３０、ＳＵＳ３０４、ＳＵＳＸＭ７からなり、環状座面３９ｂ及び取付けねじ部３７を有するボス２７は、例えばＳＵＳ４３０を代表とするフェライト系の金属や、ＳＵＳ３０４を代表とするオーステナイト系の金属からなる。そして、この温度センサ１の取付構造において、固定部材２５は、環状押圧部２１や第２ハウジング１３に対して固定されておらず、回動可能であり、温度センサ１を排気管２３に取り付ける場合には、固定部材２５を用いて下記のようにして行う。
【００３３】
まず、温度センサ１の先端側の第１ハウジング９を、ボス２７の中心孔２７ａ及び排気管２３の貫通孔２３ａに通すと共に、環状押圧部２１及び第２ハウジング１３の先端側をボス２７の中心孔２７ａに入れ、環状押圧部２１をボス２７の環状座面３９ｂに着座させる。
【００３４】
この状態で、固定部材２５のねじ形成部位２９の雄ねじ２９ａとボス２７の取付けねじ部３７の雌ねじ３７ａとを螺合させ、固定部材２５をボス２７（取付けねじ部３７）にねじ込んで、所定の締め付けトルクで、固定部材２５をボス２７に（換言すれば、環状押圧部２１を環状座面３９ｂ）に固定する。このとき、固定部材２５の先端向き面２５ｂが、環状押圧部２１の後端向き面２１ｃを押し付けながら当該固定部材２５は回動し、環状押圧部２１のテーパ面２１ｂがボス２７の環状座面２９ｂに押し付けられて固定されることになる。
【００３５】
さて、本実施の形態の温度センサ１では、固定部材２５の先端向き面２５ｂ及び環状押圧部２１の後端向き面２１ｃの少なくともいずれかに、乾性塗膜（ドライフィルム）４１が形成されている。具体的に本実施の形態の温度センサ１では、図１に示すように、固定部材２５の先端向き面２５ｂに、例えば厚さ１０μｍを有する乾性塗膜４１が形成されている。また、本実施形態の温度センサ１では、固定部材２５の先端向き面２５ｂの他に、ねじ形成部位３７の表面にも例えば厚さ１０μｍを有する乾性塗膜４１が形成されている。なお、図１において、本実施の形態（本発明）の理解を容易にするために、乾性塗膜４１をやや誇張して記載している。
【００３６】
ここで、乾性塗膜４１の概要について説明する。
乾性塗膜４１は、液体状潤滑剤とは異なり固体の塗膜であり、有機ケイ素ポリマーと固体潤滑剤とが含まれている。このうち、有機ケイ素ポリマーとは、ポリカルボシラン骨格（−（Ｓｉ−Ｃ）ｎ−）の主鎖が、Ｔｉ、Ｚｎ、Ｃｒ、Ｍｏ等の金属元素（より詳細には、有機金属化合物）によって架橋結合されたポリマーである。なお、本実施の形態の乾性塗膜４１を構成する有機ケイ素ポリマーとしては、Ｔｉの有機金属化合物によって架橋結合された有機ケイ素ポリマーが用いられており、このポリマーをチラノ樹脂と称することもある。この有機ケイ素ポリマーは、空気雰囲気下にて１０００℃で１０時間以上熱処理しても加熱減量は僅かであるため、塗膜の重量減少による収縮やヒビ割れといった変質は生じにくく、乾性塗膜４１は緻密質なものとなる。
【００３７】
また、乾性塗膜４１を構成する固体潤滑剤としては、二硫化モリブデン、グラファイト、雲母等が挙げられ、この中でも二硫化モリブデン、雲母の少なくとも１種からなると良い。固体潤滑剤は、有機ケイ素ポリマー１００重量部に対して、１０〜４００重量部の範囲内（外配合）で含有されていると良い。有機ケイ素ポリマー１００重量部に対して、固体潤滑剤が１０重量部を下回ると塗膜化の際にひび割れが生じることがあり、また、固体潤滑剤が４００重量部を上回ると有機ケイ素ポリマーの割合が低下するので、固定部材２５または環状押圧部２１の表面に対する乾性塗膜４１の結合力（密着性）が低下するおそれがある。なお、塗膜形成の安定化を図る観点から、固体潤滑剤は、有機ケイ素ポリマー１００重量部に対して、２５〜３００重量部の範囲内で含有されているとより好ましい。
【００３８】
以上のような乾性塗膜４１の本実施形態の詳細な構成は、チラノ樹脂とチラノ樹脂中に均一に分散された固体潤滑剤である二硫化モリブデンとからなる。なお、乾性塗膜４１の組成は、チラノ樹脂１００重量部に対して１５０重量部の割合である。
【００３９】
また、乾性塗膜４１は、以下のように形成することができる。具体的には、固定部材２５または環状押圧部２１を脱脂した後、乾性塗膜４１の密着性を向上するために下地処理を行い、下地処理後に洗浄処理を行う。そして、固定部材２５または環状押圧部２１の塗布対象部位（塗布対象面）に、乾燥や加熱により硬化することになる乾性塗膜４１の前駆体である塗料組成物（有機ケイ素ポリマー、固体潤滑剤を含む他に、有機溶剤を含む）をスプレー塗布等により塗布する。なお、固定部材２５または環状押圧部２１の乾性塗膜４１の形成が不要な部位にはマスキングをし、塗料組成物を塗布すれば良い。最後に、塗料組成物を塗布した固定部材２５または環状押圧部２１を、常温で乾燥させたり、加熱して硬化させたりすることで、乾性塗膜４１が形成される。
【００４０】
このような乾性塗膜（ドライフィルム）４１が、固定部材２５の先端向き面２５ｂ上に形成された温度センサ１では、ボス２７への取付け時において、固定部材２５の先端向き面２５ｂが環状押圧部２１の後端向き面２１ｃに押し付けられた場合にも、潤滑油等の液体状潤滑剤のように外部に漏れ出して潤滑剤切れ（油切れ）が生じることがない。よって、乾性塗膜４１の存在により、先端面向き面２５ｂと後端向き面２１ｃとの摩擦面材料同士の直の接触が発生するのを抑制することができる。さらに、乾性塗膜４１に含まれる固体潤滑剤（二硫化モリブデン）による滑り性によって、固定部材２５の先端向き面２５ｂ及び環状押圧部２１の後端向き面２１ｃの摩擦面材料間の摩擦係数を良好に低下させられる。これにより、固定部材２５を所定の締め付けトルクで取付けねじ部３７にねじ込んだ（締め付けた）場合にも、固定部材２５の先端向き面２５ｂと環状押圧部２１の後端向き面２１ｃとの間の押し付けによって生ずる摩擦面材料間の摩擦係数の低下に基づき、固定部材２５のボス２７（取付けねじ部３７）に対するねじ込み（締め込み）が効果的に進み、温度センサ１の締め付け軸力を大幅に向上させられる。
【００４１】
また、乾性塗膜４１を構成する有機ケイ素ポリマーが十分な耐熱性を有しているため、熱によって、ポリマー自身が分解して揮発／蒸発しにくく、加熱減量を起こしにくい。よって、例えば５００℃以上の高温環境下においても、乾性塗膜４１自身は熱的に安定で、高温環境下での長期間の使用によって乾性塗膜４１が変質（劣化）し、温度センサ１の実使用環境下での使用過程でねじの緩みを誘発することを抑制することができる。
【００４２】
さらに、本実施の形態の温度センサ１では、乾性塗膜（ドライフィルム）４１が、固定部材２５のねじ形成部位２９（雄ねじ２９ａ）の表面にも形成されている。これにより、ボス２７の取付けねじ部３７及び固定部材２５のねじ形成部位２９の摩擦面材料間の摩擦係数についても小さくすることができ、固定部材２５の取付けねじ部３７に対するねじ込み（締め込み）がより効果的に進み、温度センサ１の締め付け軸力をより効果的に向上させられる。さらに、本実施の形態の乾性塗膜４１は５００℃以上の高温環境下でも変質しにくい特性を有するため、取付けねじ部３７と固定部材２５のねじ形成部位２９との螺合部位における焼き付きについても防止することができるといった効果も得られる。
【００４３】
次に、乾性塗膜４１を固定部材２５の先端向き面２５ｂに形成した効果について説明する。図１に示した構成の温度センサ１を２つ準備し、一方の固定部材２５の先端向き面２５ｂに厚さ１０μｍ乾性塗膜４１を形成する一方、比較例として他方の固定部材２５の先端向き面２５ｂに対しては乾性塗膜４１を非形成とした。その状態のもと、２つの温度センサ１を取付けねじ部が形成された取付け治具に所定のトルクで取り付け、その際の軸力を、ロードセルを用いて測定した。その結果、乾性塗膜４１を固定部材２５に形成した本実施の形態の温度センサ１では、トルク１Ｎ・ｍあたりの軸力が約９００Ｎという非常に高い値を示したのに対し、乾性塗膜４１を固定部材２５に形成しなかった温度センサ１では、トルク１Ｎ・ｍあたりの軸力は約１８９Ｎという低い評価結果となった。この結果から、本実施の形態の温度センサ１であれば、流通管（排気管２３）に対する温度センサ１の締め付け軸力を向上させられ、ねじの緩みが生じ難い温度センサ１となり得ることが判った。
【００４４】
以上、本発明の実施形態について説明したが、本発明は、上記実施形態に限定されるものではなく、本発明の思想と範囲に含まれる様々な変形及び均等物に及ぶことはいうまでもない。
例えば、上記の実施形態では、乾性塗膜４１を固定部材２５の先端向き面２５ｂに形成したが、固定部材２５に代えて環状押圧部２１の後端向き面２１ｃ上に対して乾性塗膜４１を形成しても良いし、固定部材２５及び環状押圧部２１の双方に対して乾性塗膜４１を形成しても良い。また、上記の実施形態では、固定部材２５の先端向き面２５ｂの他に、ねじ形成部位２９の表面（即ち、雄ねじ２９ａ）にも乾性塗膜４１を形成したが、温度センサの締め付け軸力の向上を図ることに重点を置いて、ねじ形成部位２９の表面への乾性塗膜４１の形成は省略しても良い。
【符号の説明】
【００４５】
１      内燃機関用取付部品（温度センサ）
５      サーミスタ素子（感熱部）
２３    排気管（流通管）
２１    環状押圧部
２１ｃ    （環状押圧部の）後端向き面
２５    固定部材
２５ｂ    （固定部材の）先端向き面
２７    ボス
２９    ねじ形成部位
３７    取付けねじ部
３９ｂ  環状座面
４１    乾性塗膜
【図１】
2014231831.tif 000003
【図２】
2014231831.tif 000004